(57)【要約】【課題】  所定の条件を満たす場合に、動作モードを自動的に切り替えることができる放射線撮影装置を提供することができ、放射線撮影装置の運用の利便性を向上させることができる。【解決手段】  本発明の放射線撮影装置は、放射線を検出する放射線検出手段と、検出された前記放射線に基づいて、放射線画像の画像データを生成する生成手段と、前記放射線画像を記憶する記憶手段と、前記放射線画像の撮影又は前記記憶手段への記憶が不良又は不能であることを検出する検出手段と、前記不良又は前記不能が検出されたときに、外部装置との通信を確立する通信手段と、を備える。【選択図】図１
2018086073.tif 000002
【特許請求の範囲】
【請求項１】
放射線を検出する放射線検出手段と、
検出された前記放射線に基づいて、放射線画像の画像データを生成する生成手段と、
前記放射線画像を記憶する記憶手段と、
前記放射線画像の撮影又は前記記憶手段への記憶が不良又は不能であることを検出する検出手段と、
前記不良又は前記不能が検出されたときに、外部装置との通信を確立する通信手段と、
を備えることを特徴とする放射線撮影装置。
【請求項２】
放射線を検出する放射線検出手段と、
検出された前記放射線に基づいて、放射線画像の画像データを生成する生成手段と、
前記放射線画像を記憶する記憶手段と、
有線通信又は無線通信による外部装置との接続を検出する検出手段と、
前記接続が検出されたときに、前記外部装置との通信を確立する通信手段と、
を備えることを特徴とする放射線撮影装置。
【請求項３】
前記検出手段の前記検出により、前記外部装置との通信を確立することなく前記放射線画像を撮影可能である第１の動作モードから前記外部装置との通信を確立する第２の動作モードに切り替える切替手段を備えることを特徴とする請求項１又は２に記載の放射線撮影装置。
【請求項４】
前記検出手段の前記検出により、前記撮影の前記不良又は前記不能を示す撮影不良情報、前記撮影の前記不良又は前記不能の原因を示す原因情報、前記記憶の前記不良又は前記不能を示す記憶不良情報、前記記憶手段の容量を示す容量情報、及び前記記憶手段に記憶されている前記放射線画像の画像データの少なくとも１つを前記外部装置に送信するデータ送信手段を備えることを特徴とする請求項１乃至３の何れか１項に記載の放射線撮影装置。
【請求項５】
前記記憶手段は、前記放射線撮影装置への給電が遮断されたときの前記動作モードを記憶し、
前記切替手段は、前記給電が再開されたときに、記憶された前記動作モードを維持することを特徴とする請求項３に記載の放射線撮影装置。
【請求項６】
放射線を発生させる放射線発生手段と、
前記放射線に基づいて、放射線画像の画像データを生成する放射線撮影装置と、
前記放射線発生手段と前記放射線撮影装置とを制御するコンソールと、を備える放射線撮影システムであって、
前記放射線撮影装置は、
前記放射線画像を記憶する記憶手段と、
前記放射線画像の撮影又は前記記憶手段への記憶が不良又は不能であることを検出する検出手段と、
前記不良又は前記不能が検出されたときに、前記コンソールとの通信を確立する通信手段と、
を備えることを特徴とする放射線撮影システム。
【請求項７】
放射線を検出する工程と、
検出された前記放射線に基づいて、放射線画像の画像データを生成する工程と、
前記放射線画像を記憶する工程と、
前記放射線画像の撮影又は前記記憶手段への記憶が不良又は不能であることを検出する工程と、
前記不良又は前記不能が検出されたときに、外部装置との通信を確立する工程と、
を備えることを特徴とする放射線撮影方法。
【請求項８】
コンピュータを請求項１乃至５の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法、及びプログラムに関する。
【背景技術】
【０００２】
医療画像診断や非破壊検査に用いる放射線撮影装置として、ＴＦＴなどのスイッチと光電変換素子などの変換素子とを組み合わせた画素アレイからなるマトリクス基板を有する放射線撮影装置が実用化されている。
【０００３】
このような放射線撮影装置は、取り扱いが簡便で、小型化や軽量化されている。また、このような放射線撮影装置の電源として内臓バッテリを用い、外部との通信手段を無線通信とすることで、装置に接続するケーブルが省かれ、装置の取り回しや撮影手技の自由度が向上している。
【０００４】
従来のフィルムと増感紙とを遮光したケースに収納した放射線撮影装置を「フィルムカセッテ」と称し、電子回路により画素アレイを制御して動作する放射線撮影装置を「電子カセッテ」と称する。電子カセッテは、特許文献１に開示されている。
【０００５】
フィルムカセッテと異なる電子カセッテの特徴として、放射線画像の撮影直後に放射線画像を表示させることが可能である。例えば、放射線画像を表示可能なコンソールと電子カセッテとを無線通信で接続することで、電子カセッテにより撮影された放射線画像を撮影直後にコンソールへデータ転送し、コンソールが放射線画像を撮影直後に表示することができる。この技術は、特許文献２に開示されている。
【０００６】
また、フィルムカセッテと異なる電子カセッテの特徴として、フィルムを交換する必要がなく、複数の放射線画像を放射線撮影装置内の記憶部に記憶させることが可能である。特に、コンソールとの通信を確立することなく、電子カセッテ自体が放射線画像を事前に撮影及び記憶することができ、電子カセッテの取り扱いが簡便となる。
【０００７】
例えば、コンソールとの通信が確立されていない状態で撮影された複数の放射線画像を放射線撮影装置内の記憶部に記憶させる。そして、コンソールとの通信を手動で確立した後、記憶部に記憶されている放射線画像をコンソールへデータ転送し、コンソールが放射線画像を表示することができる。
【先行技術文献】
【特許文献】
【０００８】
【特許文献１】特許第３３０２１６３号公報
【特許文献２】特許第５６９７７３２号公報
【発明の概要】
【発明が解決しようとする課題】
【０００９】
しかし、従来の電子カセッテでは、コンソールと通信が確立されていない状態で、放射線画像を記憶するための記憶領域の空き容量がなくなった場合、電子カセッテは、放射線画像をコンソールにデータ転送することも記憶部に記憶させることもできない。また、従来の電子カセッテでは、コンソールと通信が確立されていない状態で、電子カセッテの構成部品が故障などにより動作不良になった場合、操作者は、動作不良やその原因（故障個所や使用環境や使用状況など）を知ることが困難である。
【課題を解決するための手段】
【００１０】
本発明の放射線撮影装置は、放射線を検出する放射線検出手段と、検出された前記放射線に基づいて、放射線画像の画像データを生成する生成手段と、前記放射線画像を記憶する記憶手段と、前記放射線画像の撮影又は前記記憶手段への記憶が不良又は不能であることを検出する検出手段と、前記不良又は前記不能が検出されたときに、外部装置との通信を確立する通信手段と、を備える。
【発明の効果】
【００１１】
本発明によれば、所定の条件を満たす場合に、動作モードを自動的に切り替えることができる放射線撮影装置を提供することができ、放射線撮影装置の運用の利便性が向上する。
【図面の簡単な説明】
【００１２】
【図１】本発明の放射線撮影システムの構成例を示すブロック図である。
【図２】本発明の放射線撮影装置のネットワークモードによる運用を示す図である。
【図３】本発明の放射線撮影装置の構成例を示すブロック図である。
【図４】本発明の放射線撮影装置のスタンドアローンモードによる運用を示す図である。
【図５】記憶部の空き容量が不足している場合に本発明の放射線撮影装置の動作モードの切り替えを示す図である。
【発明を実施するための形態】
【００１３】
以下、本発明の実施形態について、図面を参照しながら具体的に説明する。図１は、本実施形態の放射線撮影システムの一例を示すブロック図である。図１は、放射線に基づいて、放射線画像の画像データを生成する電子カセッテ（放射線撮影装置）１と、電子カセッテ１と無線通信を行うコンソール７とを示している。
【００１４】
電子カセッテ１は、通信インターフェイス２、通信部３、記憶部４、表示部５、操作部６、２次元撮像素子（放射線検出部）１０、読み出し回路１１、駆動回路１２、主制御回路１３、及びモード選択部（切替部）１５を備える。主制御回路１３は、検出部２３及びデータ送信部２４を備える。コンソール７は、通信インターフェイス１７及び表示部２７を備える。コンソール７は、放射線を発生させる放射線発生部（図示せず）と電子カセッテ１とを制御する。
【００１５】
電子カセッテ１とコンソール７との通信は、通信インターフェイス２，１７を介して、例えばＩＥＥＥ８０２．１１規格の無線ＬＡＮ通信により確立される。コンソール７には、コンソール７と通信中の電子カセッテ１の状態（例えば、省電力待機中であるか否かや撮影準備完了済みであるか否かなど）が表示部２７に表示される。
【００１６】
また、コンソール７からの操作によって、電子カセッテ１を制御することができる。また、電子カセッテ１に放射線（例えば、Ｘ線）を照射することで得られた放射線画像は、電子カセッテ１と通信が確立されているコンソール７にデータ転送され、コンソール７の表示部２７に表示される。この結果、操作者はコンソール７の表示部２７で放射線画像を確認することができる。
【００１７】
ここで、本実施形態では、コンソール７が通信部（図示せず）を内蔵している。ただし、電子カセッテ１と無線通信を確立する無線局がコンソール７と別体で存在し、無線局とコンソール７とが有線通信（例えば、有線ネットワーク回線）で接続されていている場合は、通信部を内蔵しなくてもよい。また、電子カセッテ１とコンソール７とは、無線通信だけでなく有線通信により通信を確立してもよい。例えば、電子カセッテ１とコンソール７とが、直接又はスイッチングＨＵＢなどを介して、有線ネットワーク回線で接続されてもよい。
【００１８】
放射線を用いて放射線画像を撮影する場合、放射線発生装置の放射線照射と電子カセッテ１の撮像動作とのタイミングについて説明する。電子カセッテ１の２次元撮像素子（画素アレイ）１０が、電子カセッテ１に照射された放射線を検出して、受動的に受像回路を制御することにより、放射線画像を撮影するモードを「非同期モード」と呼ぶ。一方、放射線発生装置からの照射リクエストに対して電子カセッテ１が照射許可を応答することにより、能動的に放射線照射と撮影のタイミング同期を図るモードを「同期モード」と呼ぶ。
【００１９】
同期モードにおけるタイミング制御の通信（照射リクエスト及び照射許可の送受信）は、コンソール７が放射線発生装置と電子カセッテ１との通信を仲介することで実現される。例えば、放射線発生装置とコンソール７とが有線通信で接続されており、コンソール７と放射線発生装置とが無線通信又は有線通信で接続されることで、タイミング制御が実現される。
【００２０】
また、電子カセッテ１と無線通信を確立する無線局がコンソール７と別体で存在し、無線局とコンソール７と放射線発生装置とが有線通信（有線ネットワーク回線）で接続されてもよい。また、電子カセッテ１とコンソール７と放射線発生装置とが、直接又はスイッチングＨＵＢなどを介して、有線ネットワーク回線で接続されてもよい。
【００２１】
以上のように、電子カセッテ１が、コンソール７と通信を確立し、ネットワーク内のノードとして動作しながら放射線画像の撮影を実行する動作モードをネットワークモードと呼ぶ。
【００２２】
ネットワークモードにおいて、電子カセッテ１とコンソール７と放射線発生装置とが、操作者の操作により協調して動作する例について、図２を用いて説明する。
【００２３】
まず、操作者は、被検者の位置や姿勢に応じて電子カセッテ１を整位し、放射線発生装置の放射線管球を被検者に向けて調整する（ステップＳ１００）。次に、操作者が、コンソール７の表示部２７で電子カセッテ１を選択して、電子カセッテ１に予備動作を行わせる指示を行う（ステップＳ１０１）。コンソール７が、電子カセッテ１の状態を確認し、必要に応じて予備動作命令を実施する（ステップＳ１０２）。この予備動作は、電子カセッテ１が暗電流を放出するための走査を含む。
【００２４】
予備動作が実施され、電子カセッテ１が定常状態に達したところで、操作者は、放射線発生装置に備えられる曝射ボタン（照射スイッチ）を押下する（ステップＳ１０３）。
【００２５】
電子カセッテ１は、画素アレイに暗電流が生じることから、暗電流の影響を低減しつつ放射線を最大限活用するために、放射線発生装置と電子カセッテ１の動作タイミングの同期を図ってもよい（ステップＳ１０４）。
【００２６】
例えば、電子カセッテ１が撮影をしていない間は、画素アレイから暗電流を放出するための走査が繰り返し行われる。一方、放射線発生装置が放射線を照射し、電子カセッテ１が撮影をしている間は、検出された放射線の電荷を放出しないように、電流を放出するための走査が停止する。この構成では、電子カセッテ１は、コンソール７のみならず、放射線発生装置とも直接又は間接的に通信を行い、同期モードで制御される。これに用いられるプロトコルは、特許第５６４９６３５号公報に開示されている。
【００２７】
なお、電子カセッテ１と放射線発生装置とのタイミング同期を不要とし、非同期モードで制御される場合は、特許第５６６５９０１号公報に開示されている。
【００２８】
曝射ボタン（照射スイッチ）が押下されることにより、放射線発生装置は、放射線を発生させ、被検者及び電子カセッテ１に向かって放射線を照射する（ステップＳ１０５）。
【００２９】
放射線の照射後に、電子カセッテ１の読み出し回路１１は、画素アレイを読み出して、画素アレイにより検出された放射線に基づいて、放射線画像のデジタルデータ（画像データ）を生成し（ステップＳ１０６）、コンソール７に送信する（ステップＳ１０７）。コンソール７は、受信した放射線画像の画像データを表示部２７で表示し（ステップＳ１０８）、操作者が放射線画像を確認できるようにする（ステップＳ１０９）。
【００３０】
ネットワークモードで動作するためには、電子カセッテ１に所定のパラメータ設定が必要である。例えば、電子カセッテ１と通信を行う装置の識別符号、通信暗号化の鍵情報、同期モード／非同期モードの種別、及び同期モードで電子カセッテ１と通信を行う装置のアドレス値などが設定される。
【００３１】
本実施形態では、これらのパラメータは、電子カセッテ１の表示部５及び操作部６から入力されるが、これに限られない。例えば、電子カセッテ１がコンソール７と近接した際に、近接無線通信手段（図示せず）を通じて、コンソール７からパラメータが設定されてもよい。また、電子カセッテ１とコンソール７とが有線ネットワーク回線で有線接続されることによって、パラメータが設定されてもよい。さらに、設定されるパラメータは、上記の通信パラメータに限定されず、例えば、操作者が電子カセッテ１と通信を行う装置を識別可能とする識別符号（例えば、装置の名称）などを設定してもよい。
【００３２】
ネットワークモードでの運用は、電子カセッテ１とコンソール７と放射線発生装置とが協調して動作する。
【００３３】
一方、電子カセッテ１は、コンソール７と通信を確立しない状態で放射線画像を撮影するモードでの運用も可能である。このモードをスタンドアローンモードと呼ぶ。図３は、スタンドアローンモードの電子カセッテ１の構成例を示すブロック図である。
【００３４】
スタンドアローンモードでは、電子カセッテ１は、放射線画像の撮影の実行において、外部との通信を行わない。そのため、電子カセッテ１は、コンソール７との通信や放射線発生装置とのタイミング同期の通信も行わない。したがって、電子カセッテ１内の記憶部４が、撮影された放射線画像を記憶する。また、電子カセッテ１と放射線発生装置とのタイミング同期を不要とし、非同期モードで制御される。
【００３５】
従来のフィルムカセッテであればコンソール７は不要であり、取り扱いの簡便性が高かった。電子カセッテ１のスタンドアローンモードでは、コンソール７との通信を確立することなく、電子カセッテ１自体が放射線画像を撮影及び記憶することができ、電子カセッテ１においても取り扱いの簡便性を高めることができる。
【００３６】
また、撮影ごとにフィルムを取り出して現像しなければならないフィルムカセッテに比べて、電子カセッテ１は、複数の放射線画像の撮影を連続して実施でき、内蔵される記憶部（画像メモリなど）４に複数の放射線画像の画像データを格納することができる。
【００３７】
スタンドアローンモードでは、放射線発生装置と電子カセッテ１を用いて連続して複数の放射線画像を撮影し、電子カセッテ１とコンソール７との無線通信が確立されることにより、スタンドアローンモードからネットワークモードに切り替えられる。その後、記憶部４に記憶された放射線画像の画像データがコンソール７に転送される。転送された放射線画像は、コンソール７により表示され、操作者が放射線画像の観察を行うことができる。
【００３８】
なお、コンソール７の代わりに携帯情報端末（図示せず）が被写体情報や撮影オーダ情報を入力し電子カセッテ１に撮影指示を行う“半自律型”の放射線撮影装置が提案されている。また、電子カセッテ１自体が撮影を実施する“完全自律型”の放射線撮影装置が提案されている。
【００３９】
図４を用いて、完全自律型の放射線撮影装置について説明する。まず、操作者は、電子カセッテ１を被検者のもとで整位し、放射線管球（Ｘ線管球）を被検者に向けて調整する（ステップＳ１１０）。電子カセッテ１の予備動作は、電子カセッテ１を整位する際に電子カセッテ１を操作することで開始される。予備動作により電子カセッテ１が定常状態に達したところで、操作者は、放射線発生装置に備えられる曝射ボタン（照射スイッチ）を押下する（ステップＳ１１１）。これにより、放射線発生装置から被検者及び電子カセッテ１に向かって放射線が照射される（ステップＳ１１２）。スタンドアローンモードでは非同期モードで撮影が行われる。電子カセッテ１の２次元撮像素子（画素アレイ）１０が、電子カセッテ１に照射された放射線を検知して、受動的に受像回路を制御し、電子カセッテ１が撮影をしている間は、検出された放射線の電荷を放出しないように、電荷を放出するための走査を停止する。
【００４０】
放射線の照射後に、電子カセッテ１の読み出し回路１１は、画素アレイを読み出して、放射線画像のデジタルデータを生成し（ステップＳ１１３）、電子カセッテ１内の記憶部４に放射線画像の画像データを保存する（ステップＳ１１４）。電子カセッテ１は、放射線画像の撮影と記憶を繰り返し、電子カセッテ１がコンソール７又は放射線画像を観察するためのワークステーションと通信を確立した後に、記憶部４に蓄積された放射線画像がコンソール７又はワークステーションに転送される。
【００４１】
電子カセッテ１のスタンドアローンモードとネットワークモードは、操作者の用途と要求に従い、任意に切り替えられながら運用可能である。
【００４２】
例えば、病院内の放射線科の撮影室において、据え置きの放射線発生装置と組み合わせて電子カセッテ１を使用する場合、電子カセッテ１は、同じ撮影室に設置されているコンソール７と組み合わせて、ネットワークモード且つ同期モードで運用される。
【００４３】
電子カセッテ１を臨時に持ち出して撮影室外で使用する場合、回診用の放射線発生装置に電子カセッテ１を搭載して、電子カセッテ１をスタンドアローンモード且つ非同期モードで運用する。また、回診用より持ち運びが容易なポータブル放射線発生装置と電子カセッテ１を撮影室外に持ち出して、電子カセッテ１をスタンドアローンモード且つ非同期モードで運用してもよい。
【００４４】
電子カセッテ１は、撮影室外で放射線画像を撮影した後、撮影室に戻り、スタンドアローンモードからネットワークモードに切り替えられる。スタンドアローンモードとネットワークモードの動作モードを切り替える運用においては、電子カセッテ１の動作モードが正しく設定されることが重要である。
【００４５】
本実施形態の電子カセッテ１において、ネットワークモードからスタンドアローンモードへの切り替えは、操作者の手動により行われる。操作者が、電子カセッテ１に備えられる表示部５及び操作部６から動作モードの切り替え指示を行う。誤操作防止の観点から、２つ以上の操作の同時実施（例えば、２つのボタンを同時押下する操作）又は２つ以上の操作手順の組合せの実施（例えば、ボタンＡ押下後にボタンＢを押下する操作）により、動作モードの切り替えが行われることが好ましい。
【００４６】
また、スタンドアローンモードでは、電子カセッテ１は半自律型又は完全自律型の自律動作モードで運用される。操作者がスタンドアローンモードでの使用を目的として電子カセッテ１を持ち出した後に動作モードの切り替えが可能なように、動作モードの切り替えのための操作部６が電子カセッテ１又は携帯情報端末に備えらえることが好ましい。この場合、操作部６が、ネットワークモードからスタンドアローンモードに、電子カセッテ１の動作モードを切り替える。なお、操作部６が、スタンドアローンモードからネットワークモードに、電子カセッテ１の動作モードを切り替えてもよい。
【００４７】
スタンドアローンモードでは、電子カセッテ１とコンソール７との通信は無効化され、通信が切断される。したがって、無線通信が禁止された場所において放射線画像を撮影する場合にも、スタンドアローンモードで電子カセッテ１を運用することにより、放射線画像を撮影することができる。
【００４８】
スタンドアローンモードで電子カセッテ１を運用する場合、電子カセッテ１に照射される放射線を検知して受動的に受像回路を制御する非同期モードで、電子カセッテ１は動作する。撮影された放射線画像の画像データは、電子カセッテ１内部の記憶部４に記憶される。スタンドアローンモードが維持されている間は、コンソール７との通信が無効化されているため、撮影直後に画像データ及びその他の撮影データは外部に送信されない。スタンドアローンモードが維持されている間は、放射線画像の撮影と記憶の動作が繰り返し実施され、撮影された放射線画像の画像データは、記憶部４に順次記憶される。
【００４９】
スタンドアローンモードでは、コンソール７との通信が無効化されているため、撮影された放射線画像の画像データをコンソール７に転送する場合は、コンソール７と電子カセッテ１の通信を確立する必要がある。このため、コンソール７との通信が有効化されることによって、電子カセッテ１は、スタンドアローンモードからネットワークモードに自動的に切り替えられる。電子カセッテ１及びコンソール７が通信を確立するための接続信号を、電子カセッテ１が検出した場合に、電子カセッテ１がスタンドアローンモードからネットワークモードに自動的に切り替えられる。
【００５０】
例えば、有線通信で電子カセッテ１とコンソール７との通信を確立する場合、通信ケーブルが電子カセッテ１とコンソール７とのコネクタに接続され、通信が有効化される。検出部２３が通信ケーブルのコネクタ接続を接続信号として検出したときに、電子カセッテ１がスタンドアローンモードからネットワークモードに自動的に切り替えられる。
【００５１】
また、無線通信で電子カセッテ１とコンソール７との通信を確立する場合、無線通信のためのパラメータが電子カセッテ１に設定され、通信が有効化される。検出部２３がパラメータの設定を接続信号として検出したときに、電子カセッテ１がスタンドアローンモードからネットワークモードに自動的に切り替えられる。
【００５２】
このように、検出部２３が、有線通信又は無線通信によるコンソール７（外部装置）との接続を検出する。そして、接続が検出されたときに、通信部３が、コンソール７（外部装置）との通信を確立する。モード選択部１５は、検出部２３の検出により、コンソール７との通信を確立することなく放射線画像を撮影可能であるスタンドアローンモード（第１の動作モード）からコンソール７との通信を確立するネットワークモード（第２の動作モード）に切り替える。
【００５３】
また、スタンドアローンモードにおいて、放射線画像の撮影と記憶が繰り返され、記憶部４の記憶領域の空き容量が不足し、画像データが記憶部４に保存できなくなった場合、記憶部４に記憶された放射線画像の画像データをコンソール７に転送する必要がある。このため、主制御回路１３が、記憶部４の空き容量の不足を検知して、モード選択部１５が、スタンドアローンモードからネットワークモードに動作モードを切り替える。
【００５４】
具体的には、空き容量不足により、検出部２３が、放射線画像の記憶が不良又は不能であることを検出する。そして、放射線画像の記憶の不良又は不能が検出されたときに、通信部３が、コンソール７（外部装置）との通信を確立する。モード選択部１５は、検出部２３の検出により、コンソール７との通信を確立することなく放射線画像を撮影可能であるスタンドアローンモード（第１の動作モード）からコンソール７との通信を確立するネットワークモード（第２の動作モード）に切り替える。
【００５５】
データ送信部２４は、検出部２３の検出により、放射線画像の記憶の不良又は不能を示す記憶不良情報、記憶部４の容量を示す容量情報、及び記憶部４に記憶されている放射線画像の画像データの少なくとも１つをコンソール７（外部装置）に送信する。
【００５６】
図５は、電子カセッテ１がスタンドアローンモードに設定され、記憶部４に空き容量が不足した場合の電子カセッテ１の動作を示すフローチャートである。スタンドアローンモードでは、電子カセッテ１が外部と通信を行わないため、電子カセッテ１の状態は、電子カセッテ１の表示部５により確認される。
【００５７】
まず、操作者は、電子カセッテ１を被検者のもとで整位し、放射線管球（Ｘ線管球）を被検者に向けて調整する（ステップＳ１１４）。操作者が、電子カセッテ１を整位する際に放射線画像の撮影枚数を表示部５で確認しない場合、記憶部４の空き容量が不足し、電子カセッテ１が受像不可能状態（放射線画像の記憶の不良又は不能）であることがある。
【００５８】
この場合、操作者が、放射線発生装置に備えられる曝射ボタン（照射スイッチ）を押下する（ステップＳ１１５）。放射線発生装置が、被検者及び電子カセッテ１に向かって放射線を照射しても（ステップＳ１１６）、電子カセッテ１は、放射線画像を生成することができず、記憶部４に放射線画像を保存することもできない（ステップＳ１１７）。
【００５９】
従来では、操作者は、電子カセッテ１の整位を解いて、放射線画像の撮影枚数を表示部５で確認し、ネットワークモードに手動で切り替えて、放射線画像の画像データをコンソール７に送信することで、記憶部４の空き容量を確保していた。本実施形態では、主制御回路１３の検出部２３が、記憶部４の空き容量の不足を検出して、モード選択部１５が、スタンドアローンモードからネットワークモードに動作モードを自動的に切り替える（ステップＳ１１８）。その後、手動若しくは自動で放射線画像の画像データをコンソール７に送信することで、記憶部４の空き容量を確保する。
【００６０】
また、スタンドアローンモードで、電子カセッテ１に含まれる装置の機能が動作不良であり、電子カセッテ１の動作を継続することが困難な動作エラーが発生した場合、操作者が動作不良やその原因（故障個所や使用環境や使用状況など）を知る必要がある。このとき、電子カセッテ１が外部のエラー解析装置（例えば、コンソール７）と通信を確立して、動作エラーの通知や解析を行う。外部通信が無効化された状態で表示部５に表示された情報では、動作エラーの原因の詳細を判断することができない。
【００６１】
このため、主制御回路１３が、動作不良を検出して、モード選択部１５が、スタンドアローンモードからネットワークモードに動作モードを切り替える。
【００６２】
具体的には、検出部２３が、放射線画像の撮影が不良又は不能であることを検出する。そして、放射線画像の撮影の不良又は不能が検出されたときに、通信部３が、コンソール７（外部装置）との通信を確立する。モード選択部１５は、検出部２３の検出により、コンソール７との通信を確立することなく放射線画像を撮影可能であるスタンドアローンモード（第１の動作モード）からコンソール７との通信を確立するネットワークモード（第２の動作モード）に切り替える。
【００６３】
データ送信部２４は、検出部２３の検出により、放射線画像の撮影の不良又は不能を示す撮影不良情報及び放射線画像の撮影の不良又は不能の原因を示す原因情報の少なくとも１つをコンソール７（外部装置）に送信する。
【００６４】
電子カセッテ１をスタンドアローンモードで運用する場合、電池などの内部電源が使用される。電子カセッテ１の長時間運用を実現するため、操作者が電子カセッテ１を使用していない未使用時間では、電子カセッテ１はスリープ状態（電源が遮断された状態）になる。
【００６５】
そして、電源が再投入された場合に、電子カセッテ１は、動作モードを切り替えることなく、そのままスタンドアローンモードで運用されることが望ましいため、電源遮断前に記憶部４が動作モードを記憶する。電源が再投入されたときに、電子カセッテ１のモード選択部１５は、電源遮断前の動作モードを記憶部４から読み出し、電源遮断前のスタンドアローンモードで復帰する。なお、電源遮断前の動作モードがネットワークモードである場合、電子カセッテ１のモード選択部１５は、電源遮断前の動作モードを記憶部４から読み出し、電源遮断前のネットワークモードで復帰してもよい。
【００６６】
記憶部４は、電子カセッテ１（放射線撮影装置）への給電が遮断されたときの動作モード（第１の動作モード又は第２の動作モード）を記憶する。モード選択部（切替部）１５は、電子カセッテ１への給電が再開されたときに、記憶された動作モードを維持する。
【００６７】
以上のように、本実施形態の電子カセッテ１は、所定の条件を満たす場合に、動作モードを自動的に切り替えることができ、電子カセッテ（放射線撮影装置）１の運用の利便性が向上する。
【００６８】
以上、本発明に係る実施形態について説明したが、本発明はこれらに限定されるものではなく、請求項に記載された範囲内において変更・変形することが可能である。
【００６９】
本発明は、上記の実施形態の機能を実現するソフトウェア（プログラム）をネットワーク又は各種記憶媒体を介してシステム又は装置に供給し、システム又は装置のコンピュータ（ＣＰＵやＭＰＵなど）がプログラムを読み出すことにより実行されてもよい。また、本発明は、システム又は装置のコンピュータにおける１つ以上のプロセッサーがプログラムを読出し実行する処理でも実現可能であり、１以上の機能を実現する回路（例えば、ＡＳＩＣ）によっても実現可能である。
【符号の説明】
【００７０】
１  電子カセッテ（放射線撮影装置）
４  記憶部
５  表示部
６  操作部
７  コンソール（外部装置）
１０  ２次元撮像素子（放射線検出部）
１１  読み出し回路（生成部）
１２  駆動回路
１３  主制御回路
１５  モード選択部（切替部）
２３  検出部
２４  データ送信部
【図１】
2018086073.tif 000003
【図２】
2018086073.tif 000004
【図３】
2018086073.tif 000005
【図４】
2018086073.tif 000006
【図５】
2018086073.tif 000007